(57)【要約】      （修正有）【課題】ブレードを有する疑似餌のヒット率を高めうるブレードカバーを提供する。【解決手段】ブレードカバー２は、メインシート４とサブシート６とを有している。メインシート４は、ヘッド８及びテール１０を有している。サブシート６は、ヘッド８に積層されている。サブシート６は、上縁１２、下縁１４、前縁１６及び後縁１８を有している。上縁１２は、ヘッド８の縁と接合されている。下縁１４も、ヘッド８の縁と接合されている。これらの接合により、ブレードカバー２にポケット２０が形成されている。このポケット２０は、ブレードの全部又は一部を収容しうる。このブレードカバー２は、ブレードよりも軟質である。【選択図】図１
0003214248.tif 000002
【実用新案登録請求の範囲】
【請求項１】
ブレードの全部又は一部を収容しうるポケットを備えており、このブレードよりも軟質であるブレードカバー。
【請求項２】
ヘッド及びテールを有するメインシートと、このヘッドに積層されたサブシートとを有しており、
上記サブシートの周縁の一部が上記ヘッドと接合されることにより、上記ポケットが形成されている請求項１に記載のブレードカバー。
【請求項３】
上記テールが、前後方向に延びるスリットによって複数に分割されている請求項２に記載のブレードカバー。
【請求項４】
上記テールが、その後端近傍にフィンを有する請求項２に記載のブレードカバー。
【請求項５】
上記ポケットが前端に開口を有しており、
上記ポケットに上記ブレードが収容されたとき、このブレードの前端が上記開口から露出する請求項１から４のいずれかに記載のブレードカバー。
【請求項６】
上記ポケットが後端に開口を有しており、
上記ポケットに上記ブレードが収容されたとき、このブレードの後端が上記開口から露出する請求項１から５のいずれかに記載のブレードカバー。
【考案の詳細な説明】
【技術分野】
【０００１】
本考案は、釣りに用いられるブレードのためのカバーに関する。
【背景技術】
【０００２】
オオクチバス、ブリ及びその幼魚、スズキ等の大型の魚は、ベイトとして小魚を補食する。これら大型の魚は、フィッシュイーターと称されている。フィッシュイーターを捕獲する手段として、ルアーフィッシングが普及している。ルアーフィッシングでは、疑似餌が用いられる。疑似餌は、キャストされることにより空中を飛行し、やがて着水する。ラインが巻かれることで、疑似餌は水中を泳ぐ。この疑似餌をベイトと勘違いしたフィッシュイーターは、疑似餌に食いつく。疑似餌に取り付けられたフックがフィッシュイーターに刺さり、フィッシュイーターが釣り上げられる。フィッシュイーターが疑似餌に食いつく頻度は、ヒット率と称されている。
【０００３】
疑似餌の１種として、ブレードが知られている。ブレードは、板状である。疑似餌として、ブレードが単体で用いられることがある。スピナーベイト、プラグ、タイラバ等の疑似餌の部品として、ブレードが用いられることもある。ブレードを有する疑似餌が、特開２０１２−２４４９６７公報に開示されている。
【０００４】
釣り人がラインを引くと、ブレードは水中で回転し、又ははためく。この回転又ははためきにより、振動が発生する。この振動は、疑似餌の存在をフィッシュイーターにアピールする。回転及びはためきは、さらに、視覚的にも、疑似餌の存在をフィッシュイーターにアピールする。ブレードは、ヒット率の向上に寄与しうる。
【先行技術文献】
【特許文献】
【０００５】
【特許文献１】特開２０１２−２４４９６７公報
【考案の概要】
【考案が解決しようとする課題】
【０００６】
釣り人は、ヒット率のさらなる向上を望んでいる。本考案の目的は、ブレードを有する疑似餌のヒット率を高めうるブレードカバーの提供にある。
【課題を解決するための手段】
【０００７】
本考案に係るブレードカバーは、ブレードの全部又は一部を収容しうるポケットを有する。このブレードカバーは、ブレードよりも軟質である。
【０００８】
好ましくは、ブレードカバーは、ヘッド及びテールを有するメインシートと、このヘッドに積層されたサブシートとを有する。このサブシートの周縁の一部がヘッドと接合されることにより、ポケットが形成されている。
【０００９】
好ましくは、テールは、前後方向に延びるスリットによって複数に分割されている。
【００１０】
好ましくは、テールは、その後端近傍にフィンを有する。
【００１１】
好ましくは、ポケットは、前端に開口を有する。このポケットにブレードが収容されたとき、このブレードの前端がこの開口から露出する。
【００１２】
好ましくは、ポケットは、後端に開口を有する。このポケットにブレードが収容されたとき、このブレードの後端がこの開口から露出する。
【考案の効果】
【００１３】
本考案に係るブレードカバーは、フィッシュイーターの視覚又は聴覚に訴えて、ブレードの存在をアピールする。このブレードカバーは、ヒット率に寄与しうる。
【図面の簡単な説明】
【００１４】
【図１】図１は、本考案の一実施形態に係るブレードカバーが示された正面図である。
【図２】図２は、図１のII−II線に沿った断面図である。
【図３】図３は、図１のIII−III線に沿った拡大断面図である。
【図４】図４は、図１のIV−IV線に沿った拡大断面図である。
【図５】図５は、図１のブレードカバーが装着されるブレードが示された正面図である。
【図６】図６は、図１のブレードカバーが図５のブレードに装着された状態が示された正面図である。
【図７】図７は、図６のVII−VII線に沿った断面図である。
【図８】図８は、図１のブレードカバーが図５のブレードに装着された状態が示された正面図である。
【図９】図９（ａ）は図１のブレードカバーが装着される他のブレードが示された正面図であり、図９（ｂ）は図１のブレードカバーが装着されるさらに他のブレードが示された正面図である。
【図１０】図１０は、本考案の他の実施形態に係るブレードカバーが示された正面図である。
【図１１】図１１は、本考案のさらに他の実施形態に係るブレードカバーが示された正面図である。
【考案を実施するための形態】
【００１５】
以下、適宜図面が参照されつつ、好ましい実施形態に基づいて本考案が詳細に説明される。
【００１６】
図１から４に示されたブレードカバー２は、メインシート４とサブシート６とを有している。図２に示されるように、このメインシート４は、ヘッド８及びテール１０を有している。サブシート６は、ヘッド８に積層されている。
【００１７】
図１に示されるように、サブシート６は、上縁１２、下縁１４、前縁１６及び後縁１８を有している。サブシート６の輪郭形状は、前縁１６の近傍を除き、ヘッド８と概ね同じである。
【００１８】
図３に示されるように、上縁１２は、ヘッド８の縁と接合されている。接合は、メインシート４とサブシート６との一体成形によって達成されている。接合が、接着剤によって達成されてもよい。
【００１９】
図３に示されるように、下縁１４は、ヘッド８の縁と接合されている。接合は、メインシート４とサブシート６との一体成形によって達成されている。接合が、接着剤によって達成されてもよい。
【００２０】
上縁１２及び下縁１４がヘッド８と接合されることにより、ブレードカバー２にポケット２０が形成されている。
【００２１】
本実施形態では、前縁１６は、ヘッド８と接合されていない。従って、図２に示されるように、前縁１６の近傍には、前開口２２が形成されている。後縁１８は、ヘッド８と接合されていない。従って、図２に示されるように、後縁１８の近傍には、後開口２４が形成されている。
【００２２】
このブレードカバー２は、軟質な材料からなる。具体的には、ブレードカバー２は、自重で変形する程度の柔軟性を有する。ブレードカバー２の材質として、軟質合成樹脂が挙げられる。軟質合成樹脂の具体例として、ポリ塩化ビニル及び熱可塑性エラストマーが挙げられる。
【００２３】
図５は、図１のブレードカバー２が装着されるブレード２６が示された正面図である。このブレード２６は、板状である。このブレード２６は、前アイ２８及びフックアイ３０を有している。ブレード２６が、フックアイ３０を有さなくてもよい。ブレード２６の材質として、金属及び硬質合成樹脂が挙げられる。ブレード２６は、自重では変形しない程度の剛性を有する。従って、ブレードカバー２は、ブレード２６よりも軟質である。
【００２４】
図６は、図１のブレードカバー２が図５のブレード２６に装着された状態が示された正面図である。図７は、図６のVII−VII線に沿った断面図である。図６には、このブレード２６を有する疑似餌３２も示されている。この疑似餌３２は、フック（図示されず）を有している。ブレード２６は、その一部がポケット２０に収容されている。ブレード２６の全てを収容しうるポケット２０を、ブレードカバー２が有してもよい。
【００２５】
ブレード２６のうち前アイ２８の近傍は、前開口２２から突出している。この前アイ２８に通された金具３４を介して、ブレード２６が疑似餌３２のボディ３３に連結されている。この疑似餌３２は、プラグタイプである。他のタイプの疑似餌３２が、ブレード２６を有してもよい。他のタイプの疑似餌３２として、スピナーベイト、タイラバ、インチク等が例示される。
【００２６】
ブレード２６のうちフックアイ３０の近傍は、後開口２４から突出している。換言すれば、ブレード２６の一部は、ポケット２０から露出している。テール１０は、ブレード２６よりも後方まで延在している。
【００２７】
釣り人がラインを引くと、疑似餌３２が水中を泳ぐ。このとき、ブレード２６は回転又は揺動する。さらにこのとき、ブレードカバー２（特にテール）が水を攪拌する。この攪拌により、振動又は音が発生する。この振動及び音は、疑似餌３２の存在をフィッシュイーターにアピールする。このブレードカバー２は、ヒット率を高めうる。
【００２８】
ブレードカバー２の色が、ブレード２６の色と異なってもよい。例えば、ブレードカバー２が金色であり、ブレード２６が銀色であってもよい。前述の通り、ブレード２６の一部はポケット２０から露出している。従って、ブレード２６の回転により、フィッシュイーターから見える色が変化する。この変化は、疑似餌３２の存在をフィッシュイーターにアピールする。
【００２９】
ブレードカバー２が透明な場合、フィッシュイーターはブレード２６の色を認識する。この認識がヒット率に寄与することもある。
【００３０】
ブレードカバー２が光沢を有する場合、このブレードカバー２によって太陽光が反射される。フィッシュイーターは、ブレードカバー２の光を視認する。この光は、疑似餌３２の存在をフィッシュイーターにアピールする。
【００３１】
ブレードカバー２が樹脂組成物又はゴム組成物からなる場合、これらの組成物が、味成分や臭い成分を含有してもよい。この含有により、ヒット率が高まる。
【００３２】
図８は、図１のブレードカバー２が図５のブレード２６に装着された状態が示された正面図である。図８に示された状態では、ブレード２６そのものが、疑似餌として用いられている。図８には、フック３６及びライン３８も示されている。フック３６は、フックアイ３０に通されたスプリットリング４０を介して、ブレード２６に連結されている。ライン３８は、前アイ２８に通されたスプリットリング４２を介して、ブレード２６に連結されている。
【００３３】
釣り人がライン３８を引くと、ブレード２６が水中を泳ぐ。このとき、ブレード２６は回転又は揺動する。さらにこのとき、ブレードカバー２が水を攪拌する。この攪拌により、振動又は音が発生する。この振動及び音は、疑似餌３２の存在をフィッシュイーターにアピールする。このブレードカバー２は、ヒット率を高めうる。
【００３４】
このブレードカバー２は、様々な形状のブレード２６に装着されうる。これらブレードの一例が、図９（ａ）及び（ｂ）に示されている。図９（ａ）に示されたブレード４４では、このブレード４４からブレードカバー２が外れにくい。図９（ｂ）に示されたブレード４６でも、このブレード４６からブレードカバー２が外れにくい。中空であってラトルボールを内蔵するブレードに、ブレードカバー２が装着されてもよい。
【００３５】
図１０は、本考案の他の実施形態に係るブレードカバー４８が示された正面図である。このブレードカバー４８は、メインシート５０とサブシート５２とを有している。このメインシート５０は、ヘッド５４及びテール５６を有している。サブシート５２は、ヘッド５４に積層されている。この積層により、図１に示されたブレードカバー２と同様、ポケット５７が形成されている。このポケット５７に、ブレードが収容される。このブレードよりも、ブレードカバー４８は軟質である。
【００３６】
このブレードカバー４８では、ヘッド５４の一部及びテール５６が、スリットによって２つに分割されている。従ってこのブレードカバー４８は、第一テール５８及び第二テール６０を有している。第一テール５８及び第二テール６０は、水を攪拌する。この攪拌により、振動又は音が発生する。この振動及び音は、疑似餌の存在をフィッシュイーターにアピールする。このブレードカバー４８は、ヒット率を高めうる。テール５６が、３以上に分割されてもよい。
【００３７】
図１１は、本考案のさらに他の実施形態に係るブレードカバー６２が示された正面図である。このブレードカバー６２は、メインシート６４とサブシート６６とを有している。このメインシート６４は、ヘッド６８及びテール７０を有している。サブシート６６は、ヘッド６８に積層されている。この積層により、図１に示されたブレードカバー２と同様、ポケット７１が形成されている。このポケット７１に、ブレードが収容される。このブレードよりも、ブレードカバー６２は軟質である。
【００３８】
このブレードカバー６２では、テール７０が、その後端近傍にフィン７２を有している。このフィン７２は、水を攪拌する。この攪拌により、振動又は音が発生する。この振動及び音は、疑似餌の存在をフィッシュイーターにアピールする。このブレードカバー６２は、ヒット率を高めうる。
【産業上の利用可能性】
【００３９】
本考案に係るブレードカバーが装着された疑似餌は、湖沼、池、ダム、川、海等の種々のフィールドでの釣りに適している。
【符号の説明】
【００４０】
２、４８、６２・・・ブレードカバー
４、５０、６４・・・メインシート
６、５２、６６・・・サブシート
８、５４、６８・・・ヘッド
１０、５６、７０・・・テール
２０、５７、７１・・・ポケット
２２・・・前開口
２４・・・後開口
２６、４４、４６・・・ブレード
５８・・・第一テール
６０・・・第二テール
７２・・・フィン
【図１】
0003214248.tif 000003
【図２】
0003214248.tif 000004
【図３】
0003214248.tif 000005
【図４】
0003214248.tif 000006
【図５】
0003214248.tif 000007
【図６】
0003214248.tif 000008
【図７】
0003214248.tif 000009
【図８】
0003214248.tif 000010
【図９】
0003214248.tif 000011
【図１０】
0003214248.tif 000012
【図１１】
0003214248.tif 000013